(57)【特許請求の範囲】
【請求項１】
窓枠横幅サイズに形成され、または前記窓枠横幅サイズより若干長く成形され、前記窓枠の室内側の面側に取付けられる金属板からなる装飾部材と、
昇降紐の一端を巻き込んだり、巻き戻したりして前記昇降紐の下端の昇降を行うと共に、前記装飾部材の反意匠面側の前記窓枠の室内側の面よりも窓枠内にその全体が取付けられる昇降機構と、
前記昇降紐の下端を下部に取付け、前記昇降機構よりも室内側に配置され、前記室内と室外との視覚を遮断すると共に、上部が前記装飾部材の意匠面で覆われる遮蔽部材と
を具備することを特徴とするシェード昇降装置。
【発明の詳細な説明】
【技術分野】
【０００１】
本発明は、窓枠とその室内側に配設される、例えば、ローマンシェード等の遮蔽部材を、昇降紐で昇降させることによって開閉するシェード昇降装置に関するものである。
【背景技術】
【０００２】
上記公知文献１に掲載の装置は、両端部に装飾用キャップが取付けられるカーテンレールを使用しており、カーテンの縦縁と室内側壁面との間には装飾用キャップの長さ分だけ隙間が生じ、窓を完全に覆うことができない。そこで、カーテンで窓を完全に覆い得るように、装飾用キャップが取付けられるカーテンレールを取付けるカーテンレール受構造が発明されている。
【０００３】
そこで、上記公知文献１では、室内側壁面と窓側壁面との入隅部の室内側壁面にカーテンレール受部を近接させた状態にカーテンレール受具を設置し、該カーテンレール受具の前記カーテンレール受部に前記カーテンレールの入隅側端部を装飾用キャップを取付けない状態で受けさせているものである。前記カーテンレール受部に前記カーテンレールの入隅側端部を受けさせるためには、カーテンレール受部にカーテンレールの入隅側端部を挿入させる受穴を設けても良いし、前記入隅側端部及び前記受穴をねじにして両者を螺着するようにしてもよい。
【０００４】
このように構成された構造では、カーテンレールの入隅側端部が、該入隅側端部を装飾用キャップなしで受けるカーテンレール受具によって、入隅部の室内側壁面に近接した状態で取付けられている。
【特許文献１】特開平５−９１９４０号公報
【発明の開示】
【発明が解決しようとする課題】
【０００５】
上記公知文献１に掲載の技術は、両端部に装飾用キャップが取付けられるカーテンレールを使用した場合の窓枠とカーテンの幅のみを問題としているものの、窓枠とカーテンの間の隙間、距離については解決されるものがない。
【０００６】
即ち、窓とカーテンとの間には、窓枠を形成する空間が存在するが、その窓枠が形成する空間はカーテン側で開放されており、室内空間と一体となって対流が自在になっている。現実には、窓枠とカーテンの間の隙間が室内空間の対流に関与し、室内空間の温度を変化させる要因となっている。したがって、室内の空調の熱効率を低下させる要因になっている。
【０００７】
また、窓枠を斜めからみると、窓枠との間の隙間から窓枠または窓の外が見え、視界の遮断的機能も果たしておらず見栄えがよくなかった。
【０００８】
そこで、本発明は、かかる事実に鑑みなされたものであり、遮蔽部材と窓枠開口部との間に隙間が生じないように、完全に当該窓枠開口内以上を覆い得ることができ、室内から見ても見栄えのよいシェード昇降装置の提供を課題とするものである。
【課題を解決するための手段】
【０００９】
請求項１のシェード昇降装置は、窓枠横幅サイズに形成され、または前記窓枠横幅サイズより若干長く成形され、前記窓枠の室内側の面側に取付けられる金属板からなる装飾部材と、昇降紐の一端を巻き込んだり、巻き戻したりして前記昇降紐の下端の昇降を行うと共に、前記装飾部材の反意匠面側の前記窓枠の室内側の面よりも窓枠内にその全体が取付けられる昇降機構と、前記昇降紐の下端を下部に取付け、前記昇降機構よりも室内側に配置され、前記室内と室外との視覚を遮断すると共に、上部が前記装飾部材の意匠面で覆われる遮蔽部材とを具備するものである。
【００１０】
したがって、窓枠内に配置された昇降機構は、窓枠の室内側に取付けた遮蔽部材の垂下方向に対し、昇降紐の下端を遮蔽部材の下部に取付けられているので、本来の遮蔽部材の垂下方向よりも窓枠方向にベクトル力が作用し、窓枠と遮蔽部材の下部とが自然にまとまり、遮蔽部材と窓枠との間に隙間が生じないので、外気温度の影響を遮断し、室内の対流に関与しなくなり、室内の空調機器の熱効率をよくすることができる。また、窓枠開口部を完全に覆い得ることができ、遮蔽部材と窓枠開口部との間に隙間が生じないので、室内側窓枠または室内側壁面に対して平面的であるので、室内が広くなり、室内から見ても見栄えがよく、窓枠平面に不自然な意匠性を表象することがない。そして、室内と室外とが遮蔽部材で遮断されるので、防犯に対して有効であり、また、プライバシーも維持できる。仮に、遮蔽部材の垂下方向よりも窓枠方向にベクトル力が作用しない条件であったとしても、取付位置の垂下方向となり、室内から見て、見栄えがよく、不自然な意匠性を表象することがなく、前述の効果を奏することができる。そして、遮蔽部材の上端は、装飾部材の意匠面によって覆われるので、前記遮蔽部材の上端の見栄えがよくなる。特に、遮蔽部材の上部は、装飾部材の反意匠面側に分離及び一体化自在な部材取付手段を介して取付け、前記室内面を装飾面として前記遮蔽部材の上端を覆うものであるから、組み付けが容易である。よって、前記装飾部材の裏面で遮蔽部材の取付位置の調整を行うことができるから、その高さ調節が容易であり、かつ、昇降機構の取付け状態を問われることがない。
【発明の効果】
【００１３】
以上のように、請求項１に係るシェード昇降装置においては、窓枠横幅サイズまたは窓枠横幅サイズより若干長く成形され、前記窓枠に取付けられる装飾部材と、昇降紐の一端を巻き込んだり、巻き戻したりして前記昇降紐の下端の昇降を行うと共に、前記装飾部材の反意匠面側の前記窓枠内に取付けられる昇降機構と、前記昇降紐の下端を下部に取付け、前記昇降機構よりも室内側に配置され、前記室内と室外との視覚を遮断すると共に、上部が前記装飾部材の意匠面で覆われる遮蔽部材とを具備するものである。
【００１４】
したがって、窓枠開口内に配設された昇降機構は、室内側窓枠または室内側壁面に取付けた遮蔽部材の垂下方向に対し、昇降紐の下端を下部に取付けられているので、本来の遮蔽部材の垂下方向よりも窓枠方向にベクトル力が作用する構成となっているので、窓枠と遮蔽部材の下部とが自然にまとまり、遮蔽部材と窓枠との間に隙間が生じないので、窓枠内で外気温度の影響を遮断し、室内の空調機器の熱効率をよくすることができる。また、窓枠開口部を完全に覆い得ることができ、遮蔽部材と窓枠開口部との間に隙間が生じないので、室内側窓枠または室内側壁面に対して平面的であるので、室内が広くなり、室内から見ても見栄えがよく、窓枠平面に不自然な意匠性を表象することがない。特に、遮蔽部材の上部は、装飾部材の反意匠面側とし、前記室内面を装飾面として前記遮蔽部材の上端を覆うものであるから、組み付けが容易である。故に、装飾部材が装飾取付手段と共に構成されているので、前記遮蔽部材の上部を取付ける手段として種々選択でき、堅固に見栄えのよい取付けが容易になる。
【００１５】
よって、遮蔽部材と室内側窓枠または室内側壁面との間に隙間が生じないように完全に覆い得ることができ、室内から見ても見栄えがよく、かつ、室内が広く見える。また、室内と室外の遮光が完全になるから、防犯に好適であり、かつ、プライバシーが守られる。更に、装飾部材の裏面で遮蔽部材の取付位置の調整を行うことができるから、その高さ調節が容易であり、かつ、見栄えの点からみても、昇降機構の取付状態を問われることがない。
【発明を実施するための最良の形態】
【００１９】
以下、本発明の実施の形態のシェード昇降装置について説明する。ここで、各実施の形態において、同一符号または同一記号は同一または相当する構成部分を示すものである。
実施の形態１
【００２０】
図１は本発明の実施の形態１のシェード昇降装置の断面図であり、図２は本発明の実施の形態１のシェード昇降装置のバルーンタイプのローマンシェードに使用したもので、窓枠外を覆った場合の説明図（ａ）、本発明の実施の形態１のシェード昇降装置のフラットタイプのローマンシェードに使用したもので、窓枠外を覆った場合の説明図（ｂ）である。また、図３は本発明の実施の形態１のシェード昇降装置の遮蔽部材の取付状態を示す拡大断面図である。
【００２１】
図において、本実施の形態のシェード昇降装置は、ローマンシェードとして使用されるものであり、コンクリートまたは土壁等の壁２に埋め込んだ木の窓枠１が形成されている場合の事例である。ガラス戸３等が窓枠１に配設されている。木の窓枠１にはアルミサッシ、鉄サッシ等の金属サッシを設けることもあるし、直接、木の窓枠１を使用することなしにサッシ等を施工する場合もあるし、棚板を設けることもある。本発明を実施する場合には、基本的に、何れも使用態様が同じであるから、ここでは、それらを区別することなく、木の窓枠１を前提に説明する。そして、窓枠開口とは、光が透過される空間領域を意味する。
【００２２】
また、室内側窓枠は窓枠１の室内側の面を含む領域であり、室内側壁面は室内側の窓枠１付近の壁面を意味する。
昇降機構１０は、昇降紐１２の一端を巻き込んだり、巻き戻したりする窓枠１内に配設されるもので、公知のシェード等からなる遮蔽部材２０の昇降装置等である。この昇降機構１０は窓枠１の内側上面に配設される。その取付けは、公知の四角枠型またはＬ字状の取付具１１（図１０の７０参照）によって取付けられている。なお、この実施の形態の遮蔽部材２０が窓枠１の室内面側に配設され、昇降機構１０は窓枠１内の上部内側面に取付けられ、昇降紐１２の一端を巻き込んだり、巻き戻したりすることによって、昇降を行うものであり、基本的に、バルーンタイプ及びフラットタイプのローマンシェードは同じである。なお、遮蔽部材２０の使用形態としては、ここでは、両者に共通するローマンシェードとして説明する。
【００２３】
また、遮蔽部材２０の下端には、昇降機構１０に一端を固着された昇降紐１２の他端側が固着されている。この昇降紐１２は、通常、遮蔽部材２０の幅、２０〜５０ｃｍ程度の間隔で複数本配置される。昇降紐１２の下端から昇降機構１０までの間は、遮蔽部材２０の随所に複数のリング１３ｂが配設されていて、そこを昇降紐１２が挿通されている。したがって、複数のリング１３ｂが一体となって順次開放または閉鎖される。なお、本実施例で使用した複数のリング１３は、図１０に示すように、リングテープ１３（図示せず）として、布テープ１３ａ（図示せず）の１０〜３０ｃｍ程度の間隔に複数のリング１３ｂを配設したものである。
【００２４】
遮蔽部材２０の上端は、窓枠１の室内側に分離及び一体化自在な部材取付手段４０を介して取付けられる。部材取付手段４０は金属帯４１に複数繰り返し連続して釘足４２を突出させるべく溶接したもので、釘足４２が室内方向を向くように、窓枠１に木ネジ４３で金属帯４１を固着するものである。なお、この実施の形態の遮蔽部材２０は、昇降紐１２の一端を下部に取付け、上部を窓枠１の室内側に分離及び一体化自在な部材取付手段４０を介して取付けたものである。このように、遮蔽部材２０の上部を、窓枠１の室内側に分離及び一体化自在な部材取付手段４０を介して取付けたものであるから、洗濯の際には、遮蔽部材２０のみを取外すことにより、単一の材質となり、好ましい、クリーニングが可能となる。
【００２５】
本実施の形態の装飾部材３０は、合成樹脂製からなり、窓枠サイズまたは窓枠サイズより長く成形されたものである。室内側の装飾面となる意匠面３１側は硬質合成樹脂からなり、意匠面３１には木目模様または装飾模様が直接印刷または印刷紙等を貼着することにより形成されている。勿論、無模様であってもよい。反意匠面３２側の段部３３を形成した部材取付手段４０の釘足４２が当接する箇所は、軟質合成樹脂で形成されている。したがって、装飾部材３０の取付状態で部材取付手段４０の釘足４２が、反意匠面３２側の段部３３の軟質合成樹脂に食込んだ状態で取付けられるようになっている。装飾部材３０は複数本の化粧ボルト３４によって、窓枠１に取付けられている。この実施の形態の装飾部材３０は、遮蔽部材２０の上端の室内面を装飾面である意匠面３１で覆うものであればよい。なお、図示していないが、装飾部材３０は合成樹脂を押出成型したもので、端部のみを射出成形品の部材を接合して一体化したものである。
【００２６】
また、本実施の形態の装飾部材３０は、合成樹脂製からなり、窓枠サイズまたは窓枠サイズより長く成形したものであるが、本発明を実施する場合には、合成樹脂製に限定されるものではなく、木材または竹、皮革、芯地を用いて形成した長尺状の装飾体とすることもできる。芯地を用いて形成した長尺状の装飾部材３０は、遮蔽部材２０と同一のものまたは色違いのものを使用すると好適である。
ここで、複数本の化粧ボルト３４は、本発明の実施の形態の装飾部材３０の装飾取付手段を構成している。なお、この化粧ボルト３４についても、本発明を実施する場合には、他にネジを化粧ネジで覆うものであってもよい。
【００２７】
また、公知の四角枠型またはＬ字状の取付具１１は、本発明の実施の形態の機構取付手段を構成している。
このように、本実施の形態のシェード昇降装置は、昇降紐１２の一端を巻き込んだり、巻き戻したりする窓枠１内に配設された昇降機構１０と、昇降紐１２の下端を下部に取付け、上部を窓枠１の室内側に分離及び一体化自在な部材取付手段４０を介して取付けた遮蔽部材２０と、遮蔽部材２０の上端の室内面を意匠面３１で覆う装飾部材３０とを具備するものである。
【００２８】
したがって、窓枠１内に配設された昇降機構１０は、窓枠１の室内側に部材取付手段４０を介して取付けた遮蔽部材２０の垂下方向に対し、昇降紐１２の下端を下部に取付けられているので、本来の遮蔽部材２０の垂下方向よりも昇降機構１０の昇降紐１２が関与するだけ、窓枠方向にベクトル力が作用し、窓枠１と遮蔽部材２０の下部とが自然にまとまる。仮に、遮蔽部材２０の垂下方向よりも窓枠１方向にベクトル力が作用しない条件であったとしても、取付位置の垂下方向となり、室内から見て、見栄えがよく、不自然な意匠性を表象することがない。
【００２９】
例えば、図２（ａ）及び（ｂ）に示すように、遮蔽部材２０を窓枠１の外側に出したものでは、窓枠１の外側の全体に広がり、窓枠１の外側の全体を覆って、遮蔽部材２０と窓枠１との間に隙間を発生させないようにしている。特に、この実施の形態は、窓枠１の室内側に部材取付手段４０を設けるものであるから、図２（ａ）及び（ｂ）に示す形態が好適である。
このように、遮蔽部材２０と窓枠１との間に隙間が生じないので、窓枠１内の空気が外気温度の影響を遮断し、かつ、室内の対流に関与しなくなるから、室内の空調機器の熱効率をよくすることができる。
【００３０】
また、窓枠１の開口部を完全に覆い得ることができ、遮蔽部材２０と窓枠１の開口部との間に隙間が生じないので、室内側の窓枠１または室内側壁面に対して平面的であるので、室内が広くなり、室内から見ても見栄えがよく、窓枠平面に不自然な意匠性を表象することがない。そして、窓枠１の開口部を完全に覆い得ることができ、防犯に好適であり、プライバシーが維持できる。
【００３１】
更に、図２（ａ）及び（ｂ）示すものでは、窓枠１を完全に覆い得ることができ、遮蔽部材２０と窓枠１との間に隙間が生じないので、室内から見ても見栄えがよく、不自然な意匠性を表象することがない。そして、遮蔽部材２０の上端は、最後に取付ける装飾部材３０によって覆われるので、遮蔽部材２０の上端の見栄えがよくなる。また、窓枠１の開口部を完全に覆い得ることができ、遮蔽部材２０と窓枠１の開口部との間に隙間が生じないので、室内側の窓枠１または室内側壁面に対して平面的であるので、室内が広くなり、室内から見ても見栄えがよく、窓枠平面に不自然な意匠性を表象することがない。そして、室内と室外とが遮蔽部材２０で遮断されるので、防犯に対して有効であり、また、プライバシーも維持できる。仮に、遮蔽部材２０の垂下方向よりも窓枠方向にベクトル力が作用しない条件であったとしても、取付位置の垂下方向となり、室内から見て、見栄えがよく、不自然な意匠性を表象することがなく、前述の効果を奏することができる。そして、遮蔽部材２０の上端は、最後に取付ける装飾部材３０によって覆われるので、遮蔽部材２０の上端の見栄えがよくなる。
【００３２】
したがって、装飾部材３０の裏面で遮蔽部材２０の取付位置の調整を行うことができるから、その高さ調節が容易であり、かつ、見栄えの点から昇降機構１０の取付け状態を問われることがない。
また、遮蔽部材２０が部材取付手段４０と分離が容易であるから、洗濯の際には遮蔽部材２０のみを単独で洗濯することができ、糸等が部材取付手段４０に纏わり付くことがない。
【００３３】
ところで、本実施の形態では、遮蔽部材２０を窓枠１の上部室内側に配設する説明をしたが、本発明を実施する場合には、窓枠１と壁面が同一平面または窓枠１が突出しておれば、窓枠１の左右に延ばした壁位置まで、遮蔽部材２０を施工することができる。
実施の形態２
【００３４】
図４は本発明の実施の形態２のシェード昇降装置の遮蔽部材の取付状態を示す拡大断面図で、図３の拡大断面図に相当する。なお、図中の上記実施の形態と同一符号または同一記号は同一または相当する構成部分を示すものであるから、特に相違点の説明のみを行い、説明のない事項は前述の実施の形態と同一または近似する機能部分である。
【００３５】
図において、本実施の形態のシェード昇降装置は、コンクリートまたは土壁等の壁２に埋め込んだ木の窓枠１が形成されている場合の事例である。この実施の形態の窓枠１内に配設された昇降機構１０は、昇降紐１２の一端を巻き込んだり、巻き戻したりすることによって、遮蔽部材２０の昇降を行うものであればよく、基本的構成は実施の形態１と相違するものではない。
装飾部材３０Ａは硬質合成樹脂からなり、通常、窓枠サイズと同一または窓枠サイズより若干長く成形されている。装飾部材３０Ａの反意匠面３２ａに形成した段部３３ａには、永久磁石３９ａが埋設されている。段部３３ａは窓枠１の上部との係合用の突部３４ａとなっている。
【００３６】
ステンレス製の部材取付手段４０Ａは蝶番状のもので、軸４１ａを中心に回動する対向面４２ａには無数の先鋭な突起４３ａが切り起こしによって形成されており、遮蔽部材２０の上端は対向する面の無数の先鋭な突起４３ａが食い込むことによって把持される。この蝶番状の部材取付手段４０Ａで、蔽部材２０の上端を把持した状態で、窓枠１の所定の位置に仮止めし、位置が決定されたところで、木ネジ４４ａまたは釘によって蝶番状の部材取付手段４０Ａが開口しないようにし、窓枠１に取付ける。取付けが完了したときに、装飾部材３０Ａの永久磁石３９ａで部材取付手段４０Ａに吸着させ、装飾部材３０Ａを窓枠１に固着する。
【００３７】
したがって、部材取付手段４０Ａに遮蔽部材２０の上端を把持させた状態で、両者を一体化でき、必要によって、蝶番状の部材取付手段４０Ａを開口させれば、分離可能である。部材取付手段４０Ａと遮蔽部材２０の接合は、通常状態では、容易に離れないようになっている。
ここで、永久磁石３９ａは、本発明の実施の形態の装飾部材３０Ａの装飾取付手段を構成している。また、蝶番状の部材取付手段４０Ａは、木ネジ４４ａまたは釘または接着剤等の固着手段と共に本発明の実施の形態の部材取付手段を構成している。
【００３８】
このように、本実施の形態のシェード昇降装置は、昇降紐１２の一端を巻き込んだり、巻き戻したりする窓枠１内に配設された昇降機構１０と、昇降紐１２の下端を下部に取付け、上部を窓枠１の室内側に分離及び一体化自在な部材取付手段４０Ａを介して取付けた遮蔽部材２０と、遮蔽部材２０の上端の室内面を意匠面３１ａで覆う装飾部材３０Ａとを具備するものである。
【００３９】
したがって、窓枠開口内に配設された昇降機構１０は、窓枠１の室内側に部材取付手段４０Ａを介して取付けた遮蔽部材２０の垂下方向に対し、昇降紐１２の下端を下部に取付けられているので、本来の遮蔽部材２０の垂下方向よりも窓枠１方向にベクトル力が作用し、窓枠１と遮蔽部材２０の下部とが自然にまとまる。例えば、図２（ａ）及び（ｂ）に示すように、遮蔽部材２０を窓枠１の外側に出したものでは、窓枠１の外側の全体を覆って、遮蔽部材２０と窓枠１との間に隙間を発生させることがない。
特に、この実施の形態は、窓枠１の室内側に部材取付手段４０Ａを設けるものであるから、図２（ａ）及び（ｂ）に示す形態が好適である。
【００４０】
ところで、本実施の形態では、遮蔽部材２０を窓枠１の上部室内側に配設する説明をしたが、本発明を実施する場合には、窓枠１と壁面が同一平面であれば、窓枠１の左右に延ばした壁位置まで、遮蔽部材２０を施工することができる。
【００４１】
このように、遮蔽部材２０と窓枠１との間に隙間が生じないので、窓枠１内の空気が外気温度の影響を遮断し、かつ、室内の対流に関与しなくなり、室内の空調機器の熱効率をよくすることができる。また、図２（ａ）及び（ｂ）に示すものでは、窓枠１を完全に覆い得ることができ、遮蔽部材２０と窓枠１との間に隙間が生じないので、室内から見ても見栄えがよく、不自然な意匠性を表象することがない。また、遮蔽部材２０の上端は、最後に取付ける装飾部材３０Ａによって覆われるので、遮蔽部材２０の上端の見栄えがよくなる。仮に、遮蔽部材２０の垂下方向よりも窓枠１方向にベクトル力が作用しない条件であったとしても、取付位置の垂下方向となり、室内から見て、見栄えがよく、不自然な意匠性を表象することがない。
【００４２】
また、本実施の形態の装飾部材３０は、実施の形態１と同様に構成するものとすることができる。
【００４３】
したがって、装飾部材３０Ａの裏面で遮蔽部材２０の取付位置の調整を行うことができるから、その高さ調節が容易であり、かつ、昇降機構１０の取付け状態を問われることがない。故に、装飾部材３０Ａの裏面で遮蔽部材２０の取付位置の調整を行うことができるから、その高さ調節が容易であり、かつ、見栄えの点から昇降機構１０の取付け状態を問われることがない。
【００４４】
また、窓枠１の開口部を完全に覆い得ることができ、遮蔽部材２０と窓枠１の開口部との間に隙間が生じないので、室内側の窓枠１または室内側壁面に対して平面的であるので、室内が広くなり、室内から見ても見栄えがよく、窓枠平面に不自然な意匠性を表象することがない。そして、室内と室外とが遮蔽部材２０で遮断されるので、防犯に対して有効であり、また、プライバシーも維持できる。仮に、遮蔽部材２０の垂下方向よりも窓枠方向にベクトル力が作用しない条件であったとしても、取付位置の垂下方向となり、室内から見て、見栄えがよく、不自然な意匠性を表象することがなく、前述の効果を奏することができる。そして、遮蔽部材２０の上端は、最後に取付ける装飾部材３０Ａによって覆われるので、前記遮蔽部材２０の上端の見栄えがよくなる。
実施の形態３
【００４５】
図５は本発明の実施の形態３のシェード昇降装置の遮蔽部材の取付状態を示す拡大断面図で、図３の拡大断面図に相当する。なお、図中の上記実施の形態と同一符号または同一記号は同一または相当する構成部分を示すものであるから、特に相違点の説明のみを行い、説明のない事項は前述の実施の形態と同一または近似する機能部分である。
【００４６】
図において、本実施の形態のシェード昇降装置は、コンクリートまたは土壁等の壁２に埋め込んだ木の窓枠１が形成されている場合の事例である。この実施の形態の窓枠１内に配設された昇降機構１０は、昇降紐１２の一端を巻き込んだり、巻き戻したりすることによって、遮蔽部材２０の昇降を行うものであればよく、基本的構成は実施の形態１と相違するものではない。
【００４７】
装飾部材３０Ｂは硬質合成樹脂からなり、通常、窓枠サイズまたは窓枠サイズより若干長く成形されている。装飾部材３０Ｂには金属薄帯からなるインサート３６ｂが埋設されていて、装飾部材３０Ｂの意匠面３１ｂ側が温度によって変形し難く、かつ、係合凹部３７ｂに通して係合する係合頭部３５ｂｂとが安定した状態で係合可能となるようにしている。装飾部材３０Ｂの反意匠面３２ｂ側に形成した段部３３ｂには、接着剤で接合した一方の接着布３８ｂが配設されている。
【００４８】
木の窓枠１には係合ピン３５ｂが打ち込まれている。この係合ピン３５ｂの係合頭部３５ｂｂは、前述したように、係合凹部３７ｂに通して係合する部位であり、係合凹部３７ｂと係合頭部３５ｂｂとの係合によって、装飾部材３０Ｂが窓枠１に取付けられる。
【００４９】
遮蔽部材２０の上端は、装飾部材３０Ｂの反意匠面側の室内側に分離及び一体化自在な部材取付手段４０Ｂによって取付けられる。部材取付手段４０Ｂは装飾部材３０Ｂの反意匠面３２ｂ側に接着剤で接合した接着布３８ｂと、遮蔽部材２０の上端に縫着した接着布２２によって一体に接合される。
【００５０】
したがって、装飾部材３０Ｂの取付状態で部材取付手段４０Ｂの接着布３８ｂと、遮蔽部材２０の上端に縫着した接着布２２によって一体に接合され、係合凹部３７ｂと係合頭部３５ｂｂとの係合によって、両装飾部材３０Ｂの接着布３８ｂと遮蔽部材２０の接着布２２は、容易に離れないようになっている。この実施の形態の装飾部材３０Ｂは、遮蔽部材２０の上端の室内面を意匠面３１ｂで覆うものであればよい。
【００５１】
ここで、金属薄帯からなるインサート３６ｂ、係合凹部３７ｂ及び係合凹部３７ｂに係合する係合頭部３５ｂｂを有する係合ピン３５ｂは、本発明の実施の形態の装飾部材３０Ｂの装飾取付手段を構成している。また、両装飾部材３０Ｂの接着布３８ｂと遮蔽部材２０の接着布２２は、本発明の実施の形態の部材取付手段を構成している。
【００５２】
このように、本実施の形態のシェード昇降装置は、昇降紐１２の一端を巻き込んだり、巻き戻したりする窓枠１内に配設された昇降機構１０と、昇降紐１２の下端を下部に取付け、窓枠１の室内側に配置させた遮蔽部材２０と、遮蔽部材２０の上部を反意匠面３２ｂ側に遮蔽部材２０の上部を分離及び一体化自在な接着布３８ｂ及び接着布２２からなる部材取付手段４０Ｂを介して取付け、室内面を意匠面３１ｂとして遮蔽部材２０の上端を覆う装飾部材３０Ｂとを具備するものである。
【００５３】
したがって、窓枠１内に配設された昇降機構１０は、窓枠１の室内側の部材取付手段４０Ｂを介して取付けた遮蔽部材２０の垂下方向に対し、昇降紐１２の下端を下部に取付けられているので、本来の遮蔽部材２０の垂下方向よりも窓枠１方向にベクトル力が作用し、窓枠１と遮蔽部材２０の下部とが自然にまとまり、遮蔽部材２０と窓枠１との間に隙間が生じないので、窓枠１の閉じた空間で外気温度の影響を遮断し、それが室内の対流に関与しなくなり、室内の空調機器の熱効率をよくすることができる。仮に、遮蔽部材２０の垂下方向よりも窓枠１方向にベクトル力が作用しない条件であったとしても、取付位置の垂下方向となり、室内から見て、見栄えがよく、不自然な意匠性を表象することがない。
【００５４】
また、必要に応じて、遮蔽部材２０で窓枠１を完全に覆い得ることができ、遮蔽部材２０と窓枠１との間に隙間が生じないので、室内から見ても見栄えがよく、不自然な意匠性を表象することがない。そして、遮蔽部材２０の上端は、最後に取付ける装飾部材３０Ｂによって覆われるので、遮蔽部材２０の上端の見栄えがよくなる。特に、遮蔽部材２０の上部は、装飾部材３０Ｂの反意匠面３２ｂ側に分離及び一体化自在な部材取付手段４０Ｂを介して取付け、室内面を装飾した意匠面３１ｂとして遮蔽部材２０の上端を覆うものであるから、組み付けが容易である。
【００５５】
例えば、図２（ａ）及び（ｂ）に示すように、遮蔽部材２０を窓枠１の外側に出したものでは、窓枠１の外側の全体に広がり、窓枠１の外側の全体を覆って、遮蔽部材２０と窓枠１との間に隙間を発生させないようにすることができる。特に、この実施の形態は、窓枠１の室内側に部材取付手段４０Ｂを設けるものであるから、図２（ａ）及び（ｂ）示すものでは、窓枠１を完全に覆い得ることができ、遮蔽部材２０と窓枠１との間に隙間が生じないので、室内から見ても見栄えがよく、不自然な意匠性を表象することがなく好適である。
【００５６】
このように、遮蔽部材２０と窓枠１との間に隙間が生じないので、窓枠１内の空気が外気温度の影響を遮断し、かつ、室内の対流に関与しなくなるから、室内の空調機器の熱効率をよくすることができる。
【００５７】
また、そして、遮蔽部材２０の上端は、最後に取付ける装飾部材３０Ｂによって覆われるので、遮蔽部材２０の上端の見栄えがよくなる。
【００５８】
このように、窓枠１の開口部を完全に覆い得ることができ、遮蔽部材２０と窓枠１の開口部との間に隙間が生じないので、室内側の窓枠１または室内側壁面に対して平面的であるので、室内が広くなり、室内から見ても見栄えがよく、窓枠平面に不自然な意匠性を表象することがない。そして、室内と室外とが遮蔽部材２０で遮断されるので、防犯に対して有効であり、また、プライバシーも維持できる。仮に、遮蔽部材２０の垂下方向よりも窓枠方向にベクトル力が作用しない条件であったとしても、取付位置の垂下方向となり、室内から見て、見栄えがよく、不自然な意匠性を表象することがなく、前述の効果を奏することができる。そして、遮蔽部材２０の上端は、最後に取付ける装飾部材３０Ｃによって覆われるので、遮蔽部材２０の上端の見栄えがよくなる。
【００５９】
ところで、本実施の形態では、遮蔽部材２０を窓枠１の上部室内側に配設する説明をしたが、本発明を実施する場合には、窓枠１と壁面が同一平面であれば、窓枠１の左右に延ばした壁位置まで、遮蔽部材２０を施工することができる。故に、装飾部材３０Ｂの裏面で遮蔽部材２０の取付位置の調整を行うことができるから、その高さ調節が容易であり、かつ、見栄えの点から昇降機構１０の取付け状態を問われることがない。
実施の形態４
【００６０】
図６は本発明の実施の形態４のシェード昇降装置の遮蔽部材の取付状態を示す拡大断面図で、図３の拡大断面図に相当する。なお、図中の上記実施の形態と同一符号または同一記号は同一または相当する構成部分を示すものであるから、特に相違点の説明のみを行い、説明のない事項は前述の実施の形態と同一または近似する機能部分である。
【００６１】
図において、本実施の形態のシェード昇降装置は、コンクリートまたは土壁等の壁２に埋め込んだ木の窓枠１が形成されている場合の事例である。この実施の形態の窓枠１内に配設された昇降機構１０は、昇降紐１２の一端を巻き込んだり、巻き戻したりすることによって、遮蔽部材２０の昇降を行うものであればよく、基本的構成は実施の形態１と相違するものではない。
【００６２】
装飾部材３０Ｃは硬質合成樹脂からなり、通常、窓枠サイズまたは窓枠サイズより若干長く成形されている。装飾部材３０Ｃには突出部５１が一体に形成されていて、装飾部材３０Ｃを窓枠１に木ネジ５２または釘で固定できるようになっている。ここで、装飾部材３０Ｃの反意匠面３２ｃ側に位置する突出部５１と木ネジ５２は本実施の形態の装飾取付手段５０を構成している。
【００６３】
遮蔽部材２０の上端は、窓枠１内に配設された昇降機構１０またはその室内側の機構取付手段１４に取付けられる。図６の実施の形態においては、昇降機構１０をその長さ方向に延びる室内側の取付具１４ａと室外側の取付具１４ｂによって取付けられている。室内側の取付具１４ａと室外側の取付具１４ｂとは、対称形状（同一形状）を呈しており、木ネジ１５で窓枠１の上面に取付けられている。なお、室内側の取付具１４ａが突出する場合には、装飾部材３０Ｃがそれを吸収できる凹部を形成している。
【００６４】
図６の実施の形態においては、昇降機構１０をその長さ方向に固定している室内側の取付具１４ａの室内側に、接着剤で接合した接着布１６が設けられている。また、遮蔽部材２０の上端にも接着布２３が縫着されている。これら接着布１６と接着布２３は本実施の形態の部材取付手段４０Ｃを構成している。
【００６５】
したがって、装飾部材３０Ｃの取付状態に関係なく、取付具１４ａの室内側の接着布１６と遮蔽部材２０の上端の接着布２３が一体に接合され、取付具１４ａの接着布１６と遮蔽部材２０の接着布２３は、容易に離れないようになっている。装飾部材３０Ｃは、両接着布１６と接着布２３による接合された遮蔽部材２０の上端が露出するのを防いでいる。なお、この実施の形態の装飾部材３０Ｃは、遮蔽部材２０の上端の室内面を意匠面３１ｃで覆うものであればよい。
【００６６】
なお、上記昇降機構１０をその長さ方向に延びる室内側の取付具１４ａと室外側の取付具１４ｂは、本発明を実施する場合の機構取付手段１４を構成する。
【００６７】
このように、本実施の形態のシェード昇降装置は、昇降紐１２の一端を巻き込んだり、巻き戻したりする窓枠１内に機構取付手段１４で配設された昇降機構１０と、昇降紐１２の他端を下部に取付け、窓枠１に配設した昇降機構１０の室内側に取付けた遮蔽部材２０と、室内面を意匠面３１ｃとして遮蔽部材２０の上部を覆う装飾部材３０Ｃとを具備し、装飾部材３０Ｃの反意匠面３２ｃ側に位置する突出部５１と木ネジ５２からなる装飾取付手段５０で前記装飾部材３０Ｃを取付けるものである。
【００６８】
したがって、窓枠１内に配設された昇降機構１０は、窓枠１の室内側に取付けた遮蔽部材１０の垂下方向に対し、昇降紐１２の下端を下部に取付けられているので、本来の遮蔽部材２０の垂下方向よりも窓枠１方向にベクトル力が作用し、窓枠１と遮蔽部材２０の下部とが自然にまとまり、遮蔽部材２０と窓枠１との間に隙間が生じないので、窓枠１に外気温度の影響を遮断し、室内の対流に関与しなくなり、室内の空調機器の熱効率をよくすることができる。仮に、遮蔽部材２０の垂下方向よりも窓枠１方向にベクトル力が作用しない条件であったとしても、取付位置の垂下方向となり、室内から見て、見栄えがよく、不自然な意匠性を表象することがない。
【００６９】
また、窓枠１の内側を完全に塞ぐことができ、遮蔽部材２０と窓枠１との間に隙間が生じないので、室内から見ても見栄えがよく、不自然な意匠性を表象することがない。
【００７０】
例えば、図２（ａ）及び（ｂ）に示すように、遮蔽部材２０を窓枠１の内側に入れたものでは、窓枠１の内側の全体に対して、遮蔽部材２０と窓枠１との間に隙間を発生させないようにしている。特に、この実施の形態は、窓枠１内に部材取付手段４０Ｃを設けるものであるから、遮蔽部材２０と窓枠１との間に隙間が生じないので、室内から見ても見栄えがよく、不自然な意匠性を表象することがなく好適である。このように、遮蔽部材２０と窓枠１との間に隙間が生じないので、窓枠１内の空気が外気温度の影響を遮断し、かつ、室内の対流に関与しなくなるから、室内の空調機器の熱効率をよくすることができる。また、窓枠１の開口部を完全に覆い得ることができ、遮蔽部材２０と窓枠１の開口部との間に隙間が生じないので、室内側の窓枠１または室内側壁面に対して平面的であるので、室内が広くなり、室内から見ても見栄えがよく、窓枠平面に不自然な意匠性を表象することがない。そして、窓枠１の開口部を完全に覆い得ることができ、防犯に好適であり、プライバシーが維持できる。
【００７１】
また、遮蔽部材２０の上端は、最後に窓枠１に取付ける装飾部材３０Ｃによって覆われるので、遮蔽部材２０の上端の見栄えがよくなる。特に、遮蔽部材２０の上部は、装飾部材３０Ｃの反意匠面３１ｃ側に位置する突出部５１を木ネジ５２を用いて固定できる簡単な装飾取付手段５０を介して取付け、室内面を装飾面として遮蔽部材２０の上端を覆うものであるから、組み付けが容易である。したがって、装飾部材３０Ｃの裏面で遮蔽部材２０の取付位置の調整を行うことができるから、その高さ調節が容易であり、かつ、見栄えの点から昇降機構１０の取付け状態を問われることがない。
実施の形態５
【００７２】
図７は本発明の実施の形態５のシェード昇降装置の遮蔽部材の取付状態を示す拡大断面図で、図３の拡大断面図に相当する。また、図８は本発明の実施の形態５のシェード昇降装置の遮蔽部材の部材取付手段を示す要部正面図である。なお、図中の上記実施の形態と同一符号または同一記号は同一または相当する構成部分を示すものであるから、特に相違点の説明のみを行い、説明のない事項は前述の実施の形態と同一または近似する機能部分である。
【００７３】
図において、本実施の形態のシェード昇降装置は、コンクリートまたは土壁等の壁２に埋め込んだ木の窓枠１が形成されている場合の事例である。この実施の形態の窓枠１内に配設された昇降機構１０は、昇降紐１２の一端を巻き込んだり、巻き戻したりすることによって、遮蔽部材２０の昇降を行うものであればよく、基本的構成は実施の形態１と相違するものではない。
【００７４】
本実施の形態のブラケット６０は、窓枠１の上面位置から室内側の壁面方向に並行するように略Ｌ字形に折曲し、かつ、更に、昇降機構１０を取付けるように他端もＬ字状に折曲したものである。このブラケット６０は、窓枠１に２〜５箇所設置してもよいし、窓枠１の内面寸法の長さとして１個配設するようにしてもよい。ブラケット６０の窓枠１の室内側の位置には、窓枠１との間に３〜１０ｍｍの距離をクランク状に設けた上部に位置する切り起した起立片６１及び下部に位置する起立片６２を有している。また、窓枠１の上側の下面から下方に突出し、その先端で昇降機構１０の下部を保持するように係合部６３を有している。窓枠１の下面に密着する取付部６４は、木ネジ６５ａでブラケット６０を窓枠１の下面に取付けるようになっており、また、窓枠１の室内側の面にも木ネジ６５ｂ，６５ｃでブラケット６０を窓枠１の室内側の面に取付けるようになっている。また、先端で昇降機構１０の下部を保持する係合部６３の反対側は、先端で昇降機構１０の下部を保持する係合部６３の反対側を保持する係合部６６を有する補助支持片６７が、木ネジ６５ａで窓枠１の上側の下面に取付けられることにより昇降機構１０が窓枠１の上側の下面に固着される。
【００７５】
図８に示す遮蔽部材２０の部材取付手段４０Ｄは、２枚のステンレス板からなり、当該ステンレス板の両方の取付板４０ＡＤ，４０ＢＤに共通する複数の取付孔４６が穿設されている。この複数の取付孔４６は、両方の取付板４０ＡＤ，４０ＢＤを、取付板４０ＡＤに穿設したネジ穴４７ａにネジ４７を螺合することにより一体に固着するものである。取付板４０ＡＤには複数列条（図示では２条）に、各略三角形状に切り起した起立片４８が形成されている。取付板４０ＢＤには取付板４０ＡＤの起立片４８に対応した嵌合口４９が形成されている。嵌合口４９は起立片４８の先端部分が挿入可能になっている。
【００７６】
取付板４０ＡＤには複数列条の略三角形状に切り起した起立片４８と取付板４０ＢＤの嵌合口４９によって、遮蔽部材２０の上部を挟み、ネジ穴４７ａにネジ４７を螺合することにより一体に固着する。
【００７７】
装飾部材３０Ｄは、合成樹脂製で窓枠サイズより長く成形されたものである。室内側の装飾面となる意匠面３１ｄ側は硬質合成樹脂からなり、反意匠面３２ｄ側の段部３３ｄを形成し、また、当該段部３３ｄの上端には、ブラケット６０の起立片６１を収容する嵌合部３４ｄを形成している。当該嵌合部３４ｄは起立片６１を収容することにより、装飾部材３０Ｄの下端が浮き上がることのないように密に嵌合する形態を有している。勿論、下側に形成された起立片６２を使用して、装飾部材３０Ｄの下端が浮き上がることのないようしてもよい。段部３３ｄは、起立片６１及び起立片６２を収容できる厚みだけ、段差を形成している。この実施の形態の装飾部材３０Ｄは、遮蔽部材２０の上端の室内面を意匠面３１ｄで覆うものであればよい。
【００７８】
ここで、ブラケット６０の起立片６１と、それを収容する嵌合部３４ｄは、本発明の実施の形態の装飾部材３０Ｄの装飾取付手段を構成している。また、２枚のステンレス板からなる取付板４０ＡＤ及び取付板４０ＢＤは、本発明の実施の形態の部材取付手段４０Ｄを構成している。そして、昇降機構１０を保持する係合部６３を有する取付部６４及び係合部６６を有する補助支持片６７は、本発明を実施する場合の機構取付手段を構成する。なお、実施の形態によって、ブラケット６０は、装飾取付手段、機構取付手段、部材取付手段の１以上が同一部品となり得るものである。
【００７９】
このように構成された遮蔽部材２０の上部に取付けられた部材取付手段４０Ｄは、ブラケット６０のクランク状に設けた起立片６２に複数の取付孔４６を挿入することによって窓枠１の室内側の面に取付けたブラケット６０に取付ける。ブラケット６０には、その起立片６１に装飾部材３０Ｄの嵌合部３４ｄを嵌め込み取付けを行う。なお、必要に応じて、起立片６２も取付けに用いてもよい。
【００８０】
このように、本実施の形態のシェード昇降装置は、窓枠１の上面位置から室内側の壁面方向に並行するように折曲したブラケット６０と、昇降紐１２の一端を巻き込んだり、巻き戻したりする窓枠１内のブラケット６０に取付けた昇降機構１０と、昇降紐１２の他端を下部に取付け、上部をブラケット６０の室内側に分離及び一体化自在な部材取付手段４０Ｄを介して取付けた遮蔽部材２０と、遮蔽部材２０の上端の室内面を意匠面３１ｄで覆うブラケット６０の室内側に取付けた装飾部材３０Ｄとを具備するものである。
【００８１】
したがって、窓枠１内に配設された昇降機構１０は、窓枠１の室内側に部材取付手段４０Ｄを介して取付けた遮蔽部材２０の垂下方向に対し、昇降紐１２の下端を下部に取付けられているので、本来の遮蔽部材２０の垂下方向よりも窓枠方向にベクトル力が作用し、窓枠１と遮蔽部材２０の下部とが自然にまとまる。例えば、図２（ａ）及び（ｂ）に示すように、窓枠１の外側の全体を覆って、遮蔽部材２０と窓枠１との間に隙間を発生させないようにできるから、遮蔽部材２０を窓枠１の外側に出したものに使用するのが好適である。
【００８２】
例えば、図２（ａ）及び（ｂ）に示すように、遮蔽部材２０を窓枠１の外側に出したものでは、窓枠１の外側の全体に広がり、窓枠１の外側の全体を覆って、遮蔽部材２０と窓枠１との間に隙間を発生させないようにすることができる。特に、この実施の形態は、窓枠１の室内側に部材取付手段４０Ｄを設けるものであるから、図２（ａ）及び（ｂ）示すものでは、窓枠１を完全に覆い得ることができ、遮蔽部材２０と窓枠１との間に隙間が生じないので、室内から見ても見栄えがよく、不自然な意匠性を表象することがなく好適である。
【００８３】
また、窓枠１の開口部を完全に覆い得ることができ、遮蔽部材２０と窓枠１の開口部との間に隙間が生じないので、室内側の窓枠１または室内側壁面に対して平面的であるので、室内が広くなり、室内から見ても見栄えがよく、窓枠平面に不自然な意匠性を表象することがない。そして、窓枠１の開口部を完全に覆い得ることができ、防犯に好適であり、プライバシーが維持できる。
【００８４】
このように、遮蔽部材２０と窓枠１との間に隙間が生じないので、窓枠１内の空気が外気温度の影響を遮断し、かつ、室内の対流に関与しなくなるから、室内の空調機器の熱効率をよくすることができる。
【００８５】
そして、遮蔽部材２０の上端は、最後に取付ける装飾部材３０Ｄによって覆われるので、遮蔽部材２０の上端の見栄えがよくなる。故に、装飾部材３０Ｄの裏面で遮蔽部材２０の取付位置の調整を行うことができるから、その高さ調節が容易であり、かつ、見栄えの点から昇降機構１０の取付け状態を問われることがない。
【００８６】
本実施の形態のシェード昇降装置は、少なくとも、窓枠１の内側上面位置から室内側の壁面方向に並行するように折曲形成され、窓枠１に取付けられるブラケット６０と、窓枠横幅サイズまたは窓枠横幅サイズより若干長く成形され、反意匠面３２ｄ側でブラケット６０に取付けられ、ブラケット６０の室内側端部を意匠面３１ｄで覆う装飾部材３０Ｄと、昇降紐１２の一端を巻き込んだり、巻き戻したりして昇降紐１２の下端の昇降を行うと共に、装飾部材３０Ｄの反意匠面３２ｄ側でブラケット６０に接続され、窓枠１内に位置する昇降機構１０と、昇降紐１２の下端を下部に取付け、昇降機構１０よりも室内側に配置され、室内と室外との視覚を遮断すると共に、上部が装飾部材３０Ｄの意匠面３１ｄで覆われる遮蔽部材２０とを具備するものである。
【００８７】
したがって、窓枠１内のブラケット６０を介して配設された昇降機構１０は、窓枠１の室内側に取付けた遮蔽部材２０の垂下方向に対し、昇降紐１２の下端を下部に取付けられているので、本来の遮蔽部材２０の垂下方向よりも窓枠方向にベクトル力が作用する構成となっているから、窓枠１と遮蔽部材２０の下部とが自然にまとまり、遮蔽部材２０と窓枠開口部との間に隙間が生じないので、窓枠１内で外気温度の影響を遮断し、室内の空調機器の熱効率をよくすることができる。また、窓枠開口部を完全に覆い得ることができ、遮蔽部材２０と窓枠開口部との間に隙間が生じないので、室内側窓枠１または室内側壁面に対して平面的であるので、室内が広くなり、室内から見ても見栄えがよく、窓枠平面に不自然な意匠性を表象することがない。そして、遮蔽部材２０の上端は、装飾部材３０Ｄによって覆われるので、遮蔽部材２０の上端の見栄えがよくなる。特に、遮蔽部材２０の上部は、装飾部材３０Ｄの反意匠面３２ｄ側に位置するブラケット６０に取付け、前記室内面を装飾面として遮蔽部材２０の上端を覆うものであるから、組み付けが容易である。
【００８８】
よって、装飾部材３０Ｄが遮蔽部材２０の上部に取付けるものであり、かつ、その取付け手段が種々選択でき、堅固に見栄えのよい取付けが容易になり、遮蔽部材２０と窓枠１との間に隙間が生じないように完全に覆い得ることができ、室内から見ても見栄えがよい。
【００８９】
ところで、本実施の形態では、遮蔽部材２０を窓枠１の上部室内側に配設する説明をしたが、本発明を実施する場合には、窓枠１と壁面が同一平面であれば、窓枠１の左右に延ばした壁位置まで、遮蔽部材２０を施工することができる。
実施の形態６
【００９０】
図９は本発明の実施の形態６のシェード昇降装置の遮蔽部材の取付状態を示す断面図で、図１の断面図に相当する。なお、図中の上記実施の形態と同一符号または同一記号は同一または相当する構成部分を示すものであるから、特に相違点の説明のみを行い、説明のない事項は前述の実施の形態と同一または近似する機能部分である。
【００９１】
窓枠１内の複数箇所にＬ字状の金具７０（詳しくは図１０参照）が配設されている。このＬ字状の金具７０は本実施の形態の昇降機構１０を取付ける機構取付手段を構成するものである。装飾部材３０Ｅの反意匠面側には、一対のＬ字状の金具８０からなる装飾取付手段（詳しくは図１０の８２参照）によって、昇降紐１２の一端を巻き込んだり、巻き戻したりする昇降機構１０に取付けられている。勿論、一対のＬ字状の金具８０からなる装飾取付手段を使用することなく、直接、昇降機構１０を装飾部材３０Ｅの反意匠面側に取付けてもよい。しかし、一対の金具８０からなる装飾取付手段を使用することにより、窓枠１の窓側に配置することができる。なお、直接、昇降機構１０を装飾部材３０Ｅの反意匠面側に螺子で止めた場合には、当該螺子が装飾取付手段を構成する。
【００９２】
装飾部材３０Ｅの反意匠面側の下部には、接着布３９が接合配設されている。また、遮蔽部材２０の上部には、接着布２２が縫着されている。これら、接着布３９と接着布２２は部材取付手段４０Ｄを構成している。
【００９３】
遮蔽部材２０の窓側面には、リングテープ１３（図示せず）として、布テープ１３ａ（図示せず）の１０〜３０ｃｍ程度の間隔に複数のリング１３ｂを配設したものを縫着している。したがって、昇降機構１０から下降する昇降紐１２は、複数のリング１３ｂを介して窓側方向に力を与える配置となっている。
【００９４】
なお、昇降機構１０を保持するＬ字状の金具７０は、装飾部材３０Ｅを取付ける機能を有することから、本発明を実施する場合の機構取付手段を構成している。また、Ｌ字状の金具７０は、装飾部材３０Ｅを保持することを前提とすれば、本発明を実施する場合の装飾取付手段を構成する。即ち、この実施の形態は、実施の形態によっては、装飾取付手段と機構取付手段が同一部品となることを示すものである。
【００９５】
この実施の形態のシェード昇降装置は、まず、装飾部材３０Ｅの反意匠面（裏面）側の下部に接着布３９を接合しておく。そして、装飾部材３０Ｅの反意匠側に、一対の金具８０からなる機構取付手段を用いて昇降機構１０を取付ける。また、装飾部材３０Ｅの下部に接着布３９には、部材取付手段４０Ｄの接着布２２を接合する。このように組付けたものの昇降機構１０を予め窓枠１に取付けておいたＬ字状の金具７０に取付ける。
【００９６】
このように、窓枠１内にＬ字状の金具７０からなる機構取付手段によって配設され、昇降紐１２の一端を巻き込んだり、巻き戻したりする昇降機構１０と、反意匠面側に配設したＬ字状の金具７０からなる装飾取付手段によって昇降機構１０に取付けることにより、昇降機構１０を意匠面で覆う装飾部材３０Ｅと、昇降紐１２の下端を下部に取付け、上部を窓枠１に配設した昇降機構１０の室内側に配置した装飾部材３０Ｅの反意匠面側に分離及び一体化自在な接着布３９と接着布２２からなる部材取付手段４０Ｄを介して取付けた遮蔽部材２０とを具備するものである。
【００９７】
したがって、窓枠１内に配設された昇降機構１０は、窓枠１の室内側に部材取付手段４０Ｄを介して取付けた遮蔽部材２０の垂下方向に対し、昇降紐１２の下端を下部に取付けられているので、本来の遮蔽部材２０の垂下方向よりも昇降機構１０の昇降紐１２が関与するだけ、窓枠方向にベクトル力が作用し、窓枠１と遮蔽部材２０の下部とが自然にまとまる。仮に、遮蔽部材２０の垂下方向よりも窓枠１方向にベクトル力が作用しない条件であったとしても、取付位置の垂下方向となり、室内から見て、見栄えがよく、不自然な意匠性を表象することがない。
【００９８】
例えば、図２（ａ）及び（ｂ）に示すように、遮蔽部材２０を窓枠１の外側に出したものでは、窓枠１の外側の全体に広がり、窓枠１の外側の全体を覆って、遮蔽部材２０と窓枠１との間に隙間を発生させないようにしている。
【００９９】
また、窓枠１の開口部を完全に覆い得ることができ、遮蔽部材２０と窓枠１の開口部との間に隙間が生じないので、室内側の窓枠１または室内側壁面に対して平面的であるので、室内が広くなり、室内から見ても見栄えがよく、窓枠平面に不自然な意匠性を表象することがない。そして、窓枠１の開口部を完全に覆い得ることができ、防犯に好適であり、プライバシーが維持できる。
【０１００】
このように、遮蔽部材２０と窓枠１との間に隙間が生じないので、窓枠１内の空気が外気温度の影響を遮断し、かつ、室内の対流に関与しなくなるから、室内の空調機器の熱効率をよくすることができる。
【０１０１】
また、図２（ａ）及び（ｂ）示すものでは、窓枠１を完全に覆い得ることができ、遮蔽部材２０と窓枠１との間に隙間が生じないので、室内から見ても見栄えがよく、不自然な意匠性を表象することがない。そして、遮蔽部材２０の上端は、最後に取付ける装飾部材３０Ｅによって覆われるので、遮蔽部材２０の上端の見栄えがよくなる。したがって、装飾部材３０Ｅの裏面で遮蔽部材２０の取付位置の調整を行うことができるから、その高さ調節が容易であり、かつ、見栄えの点から昇降機構１０の取付け状態を問われることがない。
実施の形態７
【０１０２】
図１０は本発明の実施の形態７のシェード昇降装置の部品展開図、図１１は本発明の実施の形態７のシェード昇降装置の取付状態を示す平面図（ａ）、背面から見た正面図（ｂ）、底面図（ｃ）、右側面図（ｄ）、左側面図（ｅ）である。また、図１２は本発明の実施の形態７のシェード昇降装置の取付状態を窓側から見た斜視図である。なお、図中の上記実施の形態と同一符号または同一記号は同一または相当する構成部分を示すものであるから、特に相違点の説明のみを行い、説明のない事項は前述の実施の形態と同一または近似する機能部分である。
【０１０３】
窓枠１内の複数箇所にＬ字状の金具７０が配設されている。Ｌ字状の金具７０は、図１１に示すように、スプリングで弾性力を付与された移動部材７１に配設された爪によって、昇降機構１０のケーシング（カーテンレール）を係合するように構成されている。端部７２を押圧することにより、移動部材７１に配設された爪は昇降機構１０のケーシングとの係合を解除し、昇降機構１０をＬ字状の金具７０から取外すことができる構造となっている。なお、窓枠１内に取付けられたＬ字状の金具７０の厚みにより、窓枠１と昇降機構１０との間に隙間が発生する。
【０１０４】
昇降機構１０の一端には、端部封止材１０Ａが挿着され、昇降機構１０の開口側に止め金具１０Ｂとの間を、ボルト１０Ｃで締め付けることにより装着状態を維持するようになっている。昇降機構１０の他端には、紐側端部封止材１０Ｈが挿着され、昇降機構１０の開口側に止め金具１０Ｊとの間を、ナット１０Ｋとボルト１０Ｌで締め付けることにより装着状態を堅固に維持するようになっている。この紐側端部封止材１０Ｈでは、複数本の引き紐が交差することのないようにまとめている。
【０１０５】
そして、昇降機構１０の複数箇所には、昇降機構１０から垂下する紐を分岐する紐搬送部材１０Ｄが配置され、それが、昇降機構１０の開口側に止め金具１０Ｅとの間を、ナット１０Ｆとボルト１０Ｇで締め付けることにより装着状態を堅固に維持するようになっている。
【０１０６】
装飾部材３０Ｆの反意匠面側の下部には、接着布３９が接合配設されている。また、遮蔽部材２０の上部には、接着布２２が縫着されている。これら、接着布３９と接着布２２は本発明の実施の形態の部材取付手段を構成している。
【０１０７】
また、装飾部材３０Ｆの反意匠面側には、昇降機構１０の下部に取付けられるＵ字状の開口を設けた単数または複数の下部取付具８２が固着されている。そして、昇降機構１０の上部に当接し、単数または複数の下部取付具８２と共に昇降機構１０を保持する単数または複数の上部取付具８１が固着されている。
【０１０８】
これらの下部取付具８２と上部取付具８１は、次のように組付けが行われる。
【０１０９】
窓枠１に取付けた昇降機構１０に対して、Ｌ字状の金具７０の厚みにより窓枠１と昇降機構１０との間に隙間が発生するから、そこに、上部取付具８１を挿入し、昇降機構１０の上面に密着させる。同時に、下部取付具８２が昇降機構１０の下面に密着される。ここで、昇降機構１０の複数箇所に下部取付具８２が配置され、それが、昇降機構１０の開口側にナット８２ａとボルト８２ｂで締め付けることにより堅固に固着される。なお、昇降機構１０を取付けるＬ字状の金具７０は、図示の逆方向（垂直線に対して対称方向）の配設とすることもできる。
【０１１０】
このように構成される実施の形態のシェード昇降装置は、次のように組付けられる。
【０１１１】
まず、窓枠１内の適当な位置の複数箇所に、Ｌ字状の金具７０を配設する。
【０１１２】
昇降機構１０の複数箇所に垂下する紐を分岐する紐搬送部材１０Ｄが取付けられ、また、端部には端部封止材１０Ａが装着され、他端には紐側端部封止材１０Ｈが装着され、紐側端部封止材１０Ｈから複数本の引き紐が交差することのないようにまとめられる。
【０１１３】
また、装飾部材３０Ｆの反意匠面側には、単数または複数のＬ字状の下部取付具８２を固着し、同様に、単数または複数の上部取付具８１を固着する。
【０１１４】
そして、装飾部材３０Ｆの反意匠面側の下部には接着布３９を接合する。遮蔽部材２０の上部に接着布２２を縫着しておき、その遮蔽部材２０の上部の接着布２２を装飾部材３０Ｆの下部の接着布３９に接合する。このとき、遮蔽部材２０は窓枠１内に配設する場合には、窓枠１の下上面に軽く当接する長さとする接合位置とする。特に、遮蔽部材２０の下端に錘をつけたものでは、その錘の荷重を計算した長さの接合位置とする。この接着布３９と接着布２２の接合位置により、遮蔽部材２０を窓枠１内に配設する場合の長さを任意に設定することができる。
【０１１５】
装飾部材３０Ｆの反意匠面側にＬ字状の下部取付具８２、上部取付具８１を固着し、遮蔽部材２０の上部の接着布２２を装飾部材３０Ｆの下部の接着布３９に接合した状態で、窓枠１に取付けた昇降機構１０はＬ字状の金具７０の厚みによって窓枠１と昇降機構１０との間に隙間が発生するから、そこに、上部取付具８１を挿入し、昇降機構１０の上面に密着させ、下部取付具８２を昇降機構１０の下面に密着させる。そして、昇降機構１０の複数箇所に下部取付具８２が配置され、それが、昇降機構１０の開口側にナット８２ａとボルト８２ｂで締め付けることにより堅固に昇降機構１０に固着される。したがって、比較的簡易（ワンタッチ）に取付が可能となる。昇降機構１０の取外しは、端部７２をドライバー等で押圧することにより、移動部材７１に配設された爪は昇降機構１０のケーシングとの係合を解除し、昇降機構１０をＬ字状の金具７０から取外すことができる。
【０１１６】
このように、本実施の形態のシェード昇降装置おいては、室内面を意匠面で覆う反意匠面側に壁面または窓枠に間接的に（昇降機構１０を介して）取付ける装飾部材３０Ｆの反意匠面側に配設したＬ字状の下部取付具８２、上部取付具８１からなる装飾取付手段を有する装飾部材３０Ｆと、装飾部材３０Ｆの反意匠面側にＬ字状の金具７０からなる機構取付手段によって取付けられた昇降紐１２の一端を巻き込んだり、巻き戻したりする昇降機構１０と、昇降紐１２の下端を下部に取付け、上部を窓枠１に配設した昇降機構１０の室内側に配置した装飾部材３０Ｆの背面に接着布３９と接着布２２からなる部材接続手段を取り付けられた遮蔽部材２０とを具備するものである。
【０１１７】
したがって、窓枠１内に配設された昇降機構１０は、窓枠１の室内側に部材取付手段を介して取付けた遮蔽部材２０の垂下方向に対し、昇降紐１２の下端を下部に取付けられているので、本来の遮蔽部材２０の垂下方向よりも窓枠方向にベクトル力が作用し、窓枠１と遮蔽部材２０の下部とが自然にまとまる。例えば、図２（ａ）に示すように、窓枠１の外側の全体を覆って、遮蔽部材２０と窓枠１との間に隙間を発生させないようにできるから、遮蔽部材２０を窓枠１の外側に出したものに使用するのが好適である。
【０１１８】
また、窓枠１の開口部を完全に覆い得ることができ、遮蔽部材２０と窓枠１の開口部との間に隙間が生じないので、室内側の窓枠１または室内側壁面に対して平面的であるので、室内が広くなり、室内から見ても見栄えがよく、窓枠平面に不自然な意匠性を表象することがない。そして、窓枠１の開口部を完全に覆い得ることができ、防犯に好適であり、プライバシーが維持できる。
【０１１９】
例えば、図２（ａ）及び（ｂ）に示すように、遮蔽部材２０を窓枠１の外側に出したものでは、窓枠１の外側の全体に広がり、窓枠１の外側の全体を覆って、遮蔽部材２０と窓枠１との間に隙間を発生させないようにすることができる。特に、この実施の形態は、窓枠１の室内側に部材取付手段を設けるものであるから、図２（ａ）及び（ｂ）示すものでは、窓枠１を完全に覆い得ることができ、遮蔽部材２０と窓枠１との間に隙間が生じないので、室内から見ても見栄えがよく、不自然な意匠性を表象することがなく好適である。
【０１２０】
このように、遮蔽部材２０と窓枠１との間に隙間が生じないので、窓枠１内の空気が外気温度の影響を遮断し、かつ、室内の対流に関与しなくなるから、室内の空調機器の熱効率をよくすることができる。また、遮蔽部材２０の下端に錘をつけたものでは、その錘が窓枠１に衝突しないように荷重を計算した長さの接合位置とすることができる。この接着布３９と接着布２２の相対的接合位置により、遮蔽部材２０を窓枠１内に配設する場合の長さを任意に設定することができる。
【０１２１】
そして、遮蔽部材２０の上端及び窓枠１に取付けた昇降機構１０は、Ｌ字状の金具７０の厚みによって窓枠１と昇降機構１０との間に隙間が発生するが、最後に取付ける装飾部材３０Ｆによって覆われるので、見栄えがよくなる。故に、装飾部材３０Ｆの裏面で遮蔽部材２０の取付位置の調整を行うことができるから、その高さ調節が容易であり、かつ、見栄えの点から昇降機構１０の取付け状態を問われることがない。
【０１２２】
更に、本実施の形態では、遮蔽部材２０を窓枠１の上部室内側に配設する説明をしたが、本発明を実施する場合には、窓枠１と壁面が同一平面であれば、窓枠１の左右に延ばした壁位置まで、遮蔽部材２０を施工することができる。
実施の形態８
【０１２３】
図１３は本発明の実施の形態８のシェード昇降装置の遮蔽部材の取付状態を示す断面図で、図１の断面図に相当する。なお、図中の上記実施の形態と同一符号または同一記号は同一または相当する構成部分を示すものであるから、特に相違点の説明のみを行い、説明のない事項は前述の実施の形態と同一または近似する機能部分である。
【０１２４】
窓枠１の室内側の面に複数箇所にＬ字状の金具７０（詳しくは図１０参照）が配設されている。このＬ字状の金具７０は本実施の形態の昇降機構１０を取付ける機構取付手段を構成するものである。装飾部材３０Ｅの反意匠面側には、一対のＬ字状の金具８０からなる装飾取付手段（詳しくは図１０の８２参照）によって、昇降紐１２の一端を巻き込んだり、巻き戻したりする昇降機構１０と一体に取付けられている、この装飾取付手段はコ字状金具とすることもできる。勿論、一対のＬ字状の金具８０からなる装飾取付手段を使用することなく、直接、昇降機構１０を装飾部材３０Ｅの反意匠面側に取付けてもよい。なお、直接、昇降機構１０を装飾部材３０Ｅの反意匠面側に螺子で止めた場合には、当該螺子が装飾取付手段を構成する。
【０１２５】
装飾部材３０Ｅの反意匠面側の下部には、接着布３９がホッチキスの針またはネジ、釘等により接合される。また、遮蔽部材２０の上部には、接着布３９と接合及び分離自在な接着布２２が縫着されている。これら、接着布３９と接着布２２は部材取付手段４０Ｄを構成している。
【０１２６】
遮蔽部材２０の窓側面には、リングテープ１３（図１２参照）として、布テープ１３ａ（図１２参照）の１０〜３０ｃｍ程度の間隔に複数のリング１３ｂを配設したものを縫着している。したがって、昇降機構１０から下降する昇降紐１２は、複数のリング１３ｂ、特に、最上位置のリング１３ｂを介して窓側方向に力を与える配置となっている。
【０１２７】
なお、昇降機構１０を保持するＬ字状の金具７０は、装飾部材３０Ｅを取付ける機能を有することから、本発明を実施する場合の機構取付手段を構成している。また、同一のＬ字状の金具７０は、装飾部材３０Ｅを保持することを前提とすれば、本発明を実施する場合の装飾取付手段を構成する。即ち、この実施の形態は、実施の形態によっては、装飾取付手段と機構取付手段が同一部品となることを示すものである。
【０１２８】
この実施の形態のシェード昇降装置のＬ字状の金具７０からなる機構取付手段は、窓枠１の室内側にＬ字状の金具７０からなる機構取付手段によって配設されているが、本発明を実施する場合、機構取付手段の取り付け箇所は、窓枠１の室内側のみではなく、窓枠１の室内側に位置する面側、即ち、壁面等の装飾面とすることができる。
【０１２９】
この実施の形態のシェード昇降装置は、まず、装飾部材３０Ｅの反意匠面（裏面）側の下部に接着布３９を接合し、装飾部材３０Ｅの反意匠側に、一対の金具８０からなる機構取付手段を用いて昇降機構１０を取付ける。また、装飾部材３０Ｅの接着布３９には、部材取付手段４０Ｄの接着布２２を接合する。このように組付けたものの昇降機構１０を、予め窓枠１の室内側の面または室内側の壁面等の内面に取付けたＬ字状の金具７０に取付ける。
【０１３０】
このように、窓枠１の室内側の面側にＬ字状の金具７０からなる機構取付手段によって配設され、昇降紐１２の一端を巻き込んだり、巻き戻したりする昇降機構１０と、反意匠面側に配設したＬ字状の金具７０からなる装飾取付手段によって昇降機構１０を取付けることにより、昇降機構１０を意匠面で覆う装飾部材３０Ｅと、昇降紐１２の下端を下部に取付け、上部を窓枠１に配設した昇降機構１０の室内側に配置した装飾部材３０Ｅの反意匠面側に分離及び一体化自在な接着布３９と接着布２２からなる部材取付手段４０Ｄを介して取付けた遮蔽部材２０とを具備するものである。
【０１３１】
したがって、窓枠１の室内側の面側に配設された昇降機構１０は、窓枠１の室内側に取付けた遮蔽部材２０の下部に昇降紐１２の下端を取付けているので、本来の遮蔽部材２０の垂下方向よりも昇降機構１０に取付けた昇降紐１２が関与するだけ、窓枠方向にベクトル力が作用し、窓枠１と遮蔽部材２０の下部とが自然にまとまる。仮に、遮蔽部材２０の垂下方向よりも窓枠１方向にベクトル力が作用しない条件であったとしても、取付位置の垂下方向となり、室内から見て、見栄えがよく、不自然な意匠性を表象することがない。
【０１３２】
予め窓枠１の室内側の面または室内側の壁面等の内面に取付けたＬ字状の金具７０の場合であっても、同様に取付けることができる。この場合には、窓枠１の室内面と遮蔽部材２０との間に間隔が生じざるを得ない。しかし、窓枠１の室内側の面または室内側の壁面等の内面から装飾部材３０Ｅの反意匠面側の距離までの距離を極力短くすること、接着布３９と接着布２２からなる部材取付手段４０Ｄにより、窓枠１の室内面と遮蔽部材２０との間の間隔を極力少なくすることができる。
【０１３３】
また、窓枠１の開口部を完全に覆い得ることができ、遮蔽部材２０と窓枠１の開口部との間に隙間が生じないので、室内側の窓枠１または室内側壁面に対して平面的であるので、室内が広くなり、室内から見ても見栄えがよく、窓枠平面に不自然な意匠性を表象することがない。そして、窓枠１の開口部を完全に覆い得ることができ、防犯に好適であり、プライバシーが維持できる。
【０１３４】
例えば、図２（ａ）及び（ｂ）に示すように、遮蔽部材２０を窓枠１の室内側に出したものとなるから、遮蔽部材２０は窓枠１の全体に広がり、窓枠１の室内側の全体を覆って、遮蔽部材２０と窓枠１との間に隙間を極力少なくすることができる。このように、遮蔽部材２０と窓枠１との間に隙間が生じないので、窓枠１内の空気が外気温度の影響を遮断し、かつ、室内の対流に関与しなくなるから、室内の空調機器の熱効率をよくすることができる。
【０１３５】
また、図２（ａ）及び（ｂ）示すものでは、窓枠１を完全に覆い得ることができ、遮蔽部材２０と窓枠１との間に隙間が生じないので、室内から見ても見栄えがよく、不自然な意匠性を表象することがない。そして、遮蔽部材２０の上端は、最後に取付ける装飾部材３０Ｅによって覆われるので、遮蔽部材２０の上端の見栄えがよくなる。したがって、装飾部材３０Ｅの裏面で遮蔽部材２０の取付位置の調整を行うことができるから、その高さ調節が容易であり、かつ、見栄えの点から昇降機構１０の取付け状態を問われることがない。
実施の形態９
【０１３６】
図１４は本発明の実施の形態９のシェード昇降装置の遮蔽部材の取付状態を示す断面図で、図１及び図１３の断面図に相当する。特に、本実施の形態は、基本的構成を図１３の実施の形態と同一とし、Ｌ字状の金具９０とコ字状金具９５は、装飾部材３０Ｅを保持することを前提とするものであるから、本発明を実施する場合の装飾取付手段を構成する。即ち、この実施の形態は、図１３の実施の形態と違い、装飾取付手段と機構取付手段が別部品となることを示すものである。
【０１３７】
なお、図中の上記実施の形態と同一符号または同一記号は同一または相当する構成部分を示すものであるから、特に相違点の説明のみを行い、説明のない事項は前述の実施の形態と同一または近似する機能部分である。
【０１３８】
図１４において、Ｌ字状の金具９０は、板金を切曲加工または鋳込みにより形成したもので、一方の面には、装飾部材３０Ｅに木螺子等で螺子止めする螺子孔９１が複数穿設されている。また、コ字状金具９５は板金を切曲加工または鋳込みにより形成したもので、窓枠１の下面に取付けられる。具体的には、その両側平面を木螺子等で螺子止めする螺子孔９６が、両側平面に複数穿設されている。本実施の形態では、螺子孔９６を長円孔として、木螺子による取付け作業性を良くしている。両側平面に挟まれた中央段部は、Ｌ字状の金具９０の他方の面を挿入する空間を窓枠１と共に形成するものである。窓枠１にコ字状金具９５が取付けられた状態で、Ｌ字状の金具９０の他方の面を挿入すると、装飾部材３０Ｅを窓枠１に取付けることができる。このとき、装飾部材３０Ｅの長さ、重さ、形状、材質等によって、窓枠１にコ字状金具９５を１個乃至５個程度取付けられ、それに相当するＬ字状の金具９０の数が装飾部材３０Ｅに取付けられる。
【０１３９】
なお、窓枠１にコ字状金具９５が取付けられた状態で、Ｌ字状の金具９０の他方の面を挿入すれば、装飾部材３０Ｅを窓枠１に取付けることができる。しかし、装飾部材３０Ｅを堅固に窓枠１に取り付けるために、コ字状金具９５には離脱防止ビス孔９７が設けられており、そこにビスを螺合して、Ｌ字状の金具９０が抜け出さないように固着している。
【０１４０】
本実施の形態のシェード昇降装置は、少なくとも、窓枠１の内側上面位置から室内側の壁面方向に並行するように折曲形成され、窓枠１に取付けられる金具７０と、窓枠横幅サイズまたは窓枠横幅サイズより若干長く成形され、反意匠面側で金具７０に取付けられ、金具７０の室内側端部を意匠面で覆う装飾部材３０Ｅ，３０Ｆと、昇降紐１２の一端を巻き込んだり、巻き戻したりして昇降紐１２の下端の昇降を行うと共に、装飾部材３０Ｅ，３０Ｆの反意匠面側で金具７０と接続され、窓枠１内に位置する昇降機構１０と、昇降紐１２の下端を下部に取付け、昇降機構１０よりも室内側に配置され、前記室内と室外との視覚を遮断すると共に、装飾部材３０Ｅ，３０Ｆの反意匠面側に上部が取付けられ、かつ、該上部が装飾部材３０Ｅ，３０Ｆの意匠面で覆われる遮蔽部材２０とを具備するものである。
【０１４１】
したがって、昇降機構１０を取付けた金具７０に対して、装飾部材３０Ｅ，３０Ｆの反意匠面側で取付けを行い、更に、装飾部材３０Ｅ，３０Ｆの反意匠面側に遮蔽部材２０を取付けるものであるから、装飾部材３０Ｅ，３０Ｆに遮蔽部材２０を取付けておき、それを窓枠開口内に昇降機構１０を配設した金具７０に取付けるだけで完成するから、取付作業性がよい。また、室内側窓枠に取付けた遮蔽部材２０の垂下方向に対し、昇降紐１２の下端を下部に取付けられているので、少なくとも、本来の遮蔽部材２０の垂下方向よりも窓枠方向にベクトル力が作用し、窓枠１と遮蔽部材２０の下部とが自然にまとまり、遮蔽部材２０と窓枠１との間に隙間が生じないので、窓枠１内で外気温度の影響を遮断し、室内の対流に関与しなくなり、室内の空調機器の熱効率をよくすることができる。また、窓枠１を完全に覆い得ることができ、遮蔽部材２０と窓枠１との間に隙間が生じないので、室内から見ても見栄えがよく、不自然な意匠性を表象することがない。そして、装飾部材３０Ｅ，３０Ｆの裏面で遮蔽部材２０の取付位置の調整を行うことができるから、その高さ調節が容易であり、かつ、見栄えの点からみても、昇降機構１０の取付手段、その状態を問われることがない。更に、装飾部材３０Ｅ，３０Ｆを窓枠１に取付ける金具は、装飾部材３０Ｅ，３０Ｆと窓枠１に接続した一対の金具７０としたものであるから、一対の金具７０の結合によって容易に取付けができる。
【０１４２】
よって、遮蔽部材３０Ｅ，３０Ｆと室内側の窓枠１との間に隙間が生じないように完全に覆い得ることができ、室内から見ても見栄えがよく、かつ、室内が広く見える。また、室内と室外の遮光が完全になるから、防犯に好適であり、かつ、プライバシーが守られる。更に、装飾部材３０Ｅ，３０Ｆの裏面で遮蔽部材２０の取付位置の調整を行うことができるから、その高さ調節が容易であり、かつ、見栄えの点からみても、昇降機構１０及びその機構取付手段１４やその取付状態を問われることがない。
【０１４３】
ところで、上記各実施の形態で説明した装飾取付手段、部材取付手段、機構取付手段は、互いに特定の実施例にのみ実現できるものではなく、本発明を実施する場合には、相互に組み合わせて使用することができる。
【０１４４】
また、上記各実施の形態で説明したように、本発明を実施する場合には、装飾部材の裏面で遮蔽部材の取付位置の調整を行うことができるから、その高さ調節が容易であり、かつ、見栄えの点から昇降機構の取付手段、その状態を問われることがない。
【図面の簡単な説明】
【０１４５】
【図１】図１は本発明の実施の形態１のシェード昇降装置の断面図である。
【図２】図２は本発明の実施の形態１のシェード昇降装置の窓枠外を覆った場合の説明図（ａ）、本発明の実施の形態１のシェード昇降装置の窓枠開口内を覆った場合の説明図（ｂ）である。
【図３】図３は本発明の実施の形態１のシェード昇降装置の遮蔽部材の取付状態を示す拡大断面図である。
【図４】図４は本発明の実施の形態２のシェード昇降装置の遮蔽部材の取付状態を示す拡大断面図で、図３の拡大断面図に相当する。
【図５】図５は本発明の実施の形態３のシェード昇降装置の遮蔽部材の取付状態を示す拡大断面図で、図３の拡大断面図に相当する。
【図６】図６は本発明の実施の形態４のシェード昇降装置の遮蔽部材の取付状態を示す拡大断面図で、図３の拡大断面図に相当する。
【図７】図７は本発明の実施の形態５のシェード昇降装置の遮蔽部材の取付状態を示す拡大断面図で、図３の拡大断面図に相当する。
【図８】図８は本発明の実施の形態５のシェード昇降装置の遮蔽部材の取付手段を示す要部正面図である。
【図９】図９は本発明の実施の形態６のシェード昇降装置の遮蔽部材の取付状態を示す断面図で、図１の断面図に相当する。
【図１０】図１０は本発明の実施の形態７のシェード昇降装置の部品展開図である。
【図１１】図１１は本発明の実施の形態７のシェード昇降装置の取付状態を示す平面図（ａ）、背面（窓側）からみた正面図（ｂ）、底面図（ｃ）、右側面図（ｄ）、左側面図（ｅ）である。
【図１２】図１２は本発明の実施の形態７のシェード昇降装置の取付状態を窓側から見た斜視図である。
【図１３】図１３は本発明の実施の形態８のシェード昇降装置の遮蔽部材の取付状態を示す断面図で、図１の断面図に相当する。
【図１４】図１４は本発明の実施の形態９のシェード昇降装置の遮蔽部材の取付状態を示す断面図で、図１３の断面図に相当する。
【符号の説明】
【０１４６】
１      窓枠
１０    昇降機構
１２    昇降紐
１４    機構取付手段
２０    遮蔽部材
３０，３０Ａ，３０Ｂ，３０Ｃ，３０Ｄ，３０Ｅ，３０Ｆ    装飾部材
３１，３１ａ，３１ｂ，３１ｃ，３１ｄ    意匠面
４０，４０Ａ，４０Ｂ，４０Ｃ，４０Ｄ    部材取付手段
５０    装飾取付手段
６０    ブラケット
７０    金具
【図１】
0004547392.tif 000002
【図２】
0004547392.tif 000003
【図３】
0004547392.tif 000004
【図４】
0004547392.tif 000005
【図５】
0004547392.tif 000006
【図６】
0004547392.tif 000007
【図７】
0004547392.tif 000008
【図８】
0004547392.tif 000009
【図９】
0004547392.tif 000010
【図１０】
0004547392.tif 000011
【図１１】
0004547392.tif 000012
【図１２】
0004547392.tif 000013
【図１３】
0004547392.tif 000014
【図１４】
0004547392.tif 000015